(57)【要約】【課題】本発明は、コンピュータに装着した状態においてはＩＣカードの着脱を確実に阻止することができる拡張装置を提供することを目的としている。また、あわせて通信装置の受信感度と携帯性を向上し、小型化を図ることを目的としている。【解決手段】コンピュータ１の外部ポート２に接続される拡張装置であって、ＰＩＭカード３を着脱する着脱部３１と、コンピュータ１の外部ポート２に接続するコネクタ１１と、コネクタ１１に併設されコネクタ１１の挿抜方向に移動可能なスライダ１３と、スライダ１３をコネクタ１１の先端方向に突出するよう付勢する付勢手段（トーションバネ１４）とを備え、スライダ１３はコネクタ１１をコンピュータ１に挿入する際に挿入する力によってＰＩＭカード３の着脱部３１を覆うことによりその着脱を阻止することを特徴とする。【選択図】図２
2008108148.tif 000002
【特許請求の範囲】
【請求項１】
コンピュータの外部ポートに接続される拡張装置であって、
ＩＣカードを着脱する着脱部と、
前記コンピュータの外部ポートに挿入して接続するコネクタと、
前記コネクタに併設され該コネクタの挿抜方向に移動可能なスライダと、
前記スライダを前記コネクタの先端方向に突出するよう付勢する付勢手段とを備え、
前記スライダは前記コネクタを前記コンピュータに挿入する際に該コンピュータの外部ポート近傍の筐体に当接し、挿入する力によって前記付勢手段の付勢力に抗して移動し、前記着脱部を覆うことにより該ＩＣカードの着脱を阻止することを特徴とする拡張装置。
【請求項２】
コンピュータの外部ポートに接続される拡張装置であって、
ＩＣカードを着脱する着脱部と、
前記コンピュータの外部ポートに挿入して接続するコネクタと、
前記コネクタに併設され該コネクタの挿抜方向に移動可能なスライダと、
前記スライダを前記コネクタの先端方向に突出するよう付勢する付勢手段と、
前記コネクタの挿抜方向と直交するヒンジ軸を中心に回転して前記着脱部を覆う蓋体と、
前記蓋体の前記ヒンジ軸近傍に設けられた蓋体規制部とを備え、
前記スライダは前記コネクタをコンピュータに挿入する際に該コンピュータの外部ポート近傍の筐体に当接し、挿入する力によって前記付勢手段の付勢力に抗して移動し、前記蓋体規制部と当接または噛合することにより、前記蓋体の開放を規制することを特徴とする拡張装置。
【請求項３】
前記スライダは、前記コネクタの外周の一部または全部を覆う形状に構成したことを特徴とする請求項１または請求項２に記載の拡張装置。
【請求項４】
前記スライダは、前記コネクタの形状が視認できるよう透明または半透明の材質で形成されていることを特徴とする請求項３に記載の拡張装置。
【請求項５】
コンピュータの外部ポートに接続される拡張装置であって、
ＩＣカードを着脱する着脱部と、
前記コンピュータの外部ポートに挿入して接続するコネクタと、
前記コネクタの挿抜方向と直交するヒンジ軸を中心に回転して前記コネクタを覆うコネクタカバーと、
前記コネクタの挿抜方向に移動可能なスライダと、
前記コネクタカバーの開閉を前記スライダの移動に変換するリンク機構とを備え、
前記コネクタを前記コンピュータに挿入する際に、前記コネクタカバーを開くことにより前記スライダが移動し、該スライダが前記着脱部を覆うことにより該ＩＣカードの着脱を阻止することを特徴とする拡張装置。
【請求項６】
コンピュータの外部ポートに接続される拡張装置であって、
ＩＣカードを着脱する着脱部と、
前記コンピュータの外部ポートに挿入して接続するコネクタと、
前記コネクタの挿抜方向と直交するヒンジ軸を中心に回転して前記コネクタを覆うコネクタカバーと、
前記コネクタの挿抜方向と直交するヒンジ軸を中心に回転して前記着脱部を覆う蓋体と、
前記蓋体の前記ヒンジ軸近傍に設けられた蓋体規制部と、
前記コネクタの挿抜方向に移動可能なスライダと、
前記コネクタカバーの開閉を前記スライダの移動に変換するリンク機構とを備え、
前記コネクタをコンピュータに挿入する際に、前記コネクタカバーを開くことにより前記スライダが移動し、該スライダが前記蓋体規制部と当接または噛合することにより、前記蓋体の開放を規制することを特徴とする拡張装置。
【請求項７】
前記コネクタを介してコンピュータに接続される無線通信部と、
前記無線通信部に接続され、電波の送受を行うアンテナ部とを備え、
前記アンテナ部は、前記蓋体と一体に構成したことを特徴とする請求項２または請求項６に記載の拡張装置。
【請求項８】
前記コネクタを介してコンピュータに接続される無線通信部と、
前記無線通信部に接続され、電波の送受を行うアンテナ部とを備え、
前記アンテナ部は、前記コネクタカバーと一体に構成したことを特徴とする請求項５または請求項６に記載の拡張装置。
【発明の詳細な説明】
【技術分野】
【０００１】
本発明は、コンピュータの外部ポートに接続される拡張装置に関するものである。
【背景技術】
【０００２】
従来から、コンピュータの外部ポートに接続することにより、コンピュータの機能を拡張するための種々の拡張装置が提供されている。その中には、例えば通信機能を提供する無線通信装置、メモリモジュールのデータを読み書きするためのカードリーダー、キーボードやマウスなどの入力装置などがある。
【０００３】
上記拡張装置のうち、ＳＩＭカード（Subscriber Identity Module card）やＵＩＭカード（User Identity Module card）、ＰＩＭカード（Personal Identity Module Card）などのＩＣカードを装着可能な拡張装置がある。これらのＩＣカードは、アプリケーションを使用するための権限認証（いわゆるドングル（dongle））、通信を行う際の個人認証などに使用される。このため当該拡張装置をコンピュータに装着して使用している間は、ＩＣカードの着脱をしないよう取り扱われる。
【０００４】
しかし使用者が不慣れな場合には、誤って拡張装置の使用中にＩＣカードを抜いてしまい、エラーを生じてしまう可能性も多分に含んでいた。そのため、拡張装置をコンピュータに装着している間は、ＩＣカードを着脱不能にする構成が要請されている。従来からも、特開２００４−２８０６３９（特許文献１）には、回転してＵＳＢコネクタを保護し、なおかつ、使用時にＵＩＭカードの取り外しを防止するカバーについて開示されている。
【０００５】
一方、拡張装置が無線通信装置を含む場合には、電波を送受信するためのアンテナが設けられる。従来からも様々な形態のアンテナが提案されており、例えば特開２０００−０１０６８１（特許文献２）には、細い板状のアンテナを可動式に設けた構成が開示されている。また特表２００３−５１４４８２（特許文献３）には、拡張装置本体からスライドして突出するアンテナが開示されている。
【０００６】
また、拡張装置の種類によっては、カバーが設けられることがある。拡張装置の機能を損なわないために、汚れや粉塵から保護するためである。例えば特開２００４−０７０８３１（特許文献４）には、指紋検出部にカバーを備えた構成が開示されている。
【特許文献１】特開２００４−２８０６３９号公報
【特許文献２】特開２０００−０１０６８１号公報
【特許文献３】特表２００３−５１４４８２号公報
【特許文献４】特開２００４−０７０８３１号公報
【発明の開示】
【発明が解決しようとする課題】
【０００７】
しかし特許文献１記載の構成にあっては、ＵＳＢコネクタのカバーを背面側に回転させてＵＩＭカードの取り外しを防止している。従ってカバーを、取り外しを防止する位置まで回転させるかどうかは使用者に委ねられており、確実性に低いと言わざるを得ない。
【０００８】
また、無線通信装置におけるアンテナは、近距離であれば内蔵式でもよいが、より感度を高めようと思えばある程度の大きさ（長さ）が必要となり、また角度も調節可能とすることが望ましい。しかし外出時に使用する場面が多い通信装置は小型化と携帯性が重要であるため、アンテナにも寸法上の制約が大きく、受信感度を向上させることが難しい。また角度を調節可能とするためにロッドアンテナを可動ジョイントで取り付けると、運搬時も拡張装置の外部にロッドが露出してしまい、携帯性が損なわれるという問題があった。
【０００９】
そこで本発明は、コンピュータに装着した状態においてはＩＣカードの着脱を確実に阻止することができる拡張装置を提供することを目的としている。また、あわせて通信装置の受信感度と携帯性を向上し、小型化を図ることを目的としている。
【課題を解決するための手段】
【００１０】
上記課題を解決するために、本発明にかかる拡張装置の代表的な構成は、コンピュータの外部ポートに接続される拡張装置であって、ＩＣカードを着脱する着脱部と、コンピュータの外部ポートに挿入して接続するコネクタと、コネクタに併設されコネクタの挿抜方向に移動可能なスライダと、スライダをコネクタの先端方向に突出するよう付勢する付勢手段とを備え、スライダはコネクタをコンピュータに挿入する際にコンピュータの外部ポート近傍の筐体に当接し、挿入する力によって付勢手段の付勢力に抗して移動し、着脱部を覆うことによりＩＣカードの着脱を阻止することを特徴とする。
【００１１】
上記構成によれば、拡張装置をコンピュータに装着するに伴って、スライダが着脱部を覆うように突出する。従って、使用者は意識的に何らかの操作を要することなく、確実にＩＣカードの着脱を阻止することができる。
【００１２】
また本発明にかかる拡張装置の他の代表的な構成は、コンピュータの外部ポートに接続される拡張装置であって、ＩＣカードを着脱する着脱部と、コンピュータの外部ポートに挿入して接続するコネクタと、コネクタに併設されコネクタの挿抜方向に移動可能なスライダと、スライダをコネクタの先端方向に突出するよう付勢する付勢手段と、コネクタの挿抜方向と直交するヒンジ軸を中心に回転して着脱部を覆う蓋体と、蓋体のヒンジ軸近傍に設けられた蓋体規制部とを備え、スライダはコネクタをコンピュータに挿入する際にコンピュータの外部ポート近傍の筐体に当接し、挿入する力によって付勢手段の付勢力に抗して移動し、蓋体規制部と当接または噛合することにより、蓋体の開放を規制することを特徴とする。
【００１３】
上記構成によれば、拡張装置をコンピュータに装着するに伴って、蓋体が必然的に閉じられ、または開かなくなる。従って、使用者は意識的に何らかの操作を要することなく、確実にＩＣカードの着脱を阻止することができる。
【００１４】
スライダは、コネクタの外周の一部または全部を覆う形状に構成することが好ましい。これにより、スライダによってコネクタの保護を図ることができる。
【００１５】
スライダは、コネクタの形状が視認できるよう透明または半透明の材質で形成されていることが好ましい。これにより、スライダがコネクタを覆っていても、使用者が迷わずコネクタをコンピュータの外部ポートに挿入することができる。
【００１６】
また本発明にかかる拡張装置の他の代表的な構成は、コンピュータの外部ポートに接続される拡張装置であって、ＩＣカードを着脱する着脱部と、コンピュータの外部ポートに挿入して接続するコネクタと、コネクタの挿抜方向と直交するヒンジ軸を中心に回転してコネクタを覆うコネクタカバーと、コネクタの挿抜方向に移動可能なスライダと、コネクタカバーの開閉をスライダの移動に変換するリンク機構とを備え、コネクタをコンピュータに挿入する際に、コネクタカバーを開くことによりスライダが移動し、スライダが着脱部を覆うことによりＩＣカードの着脱を阻止することを特徴とする。
【００１７】
上記構成によれば、拡張装置をコンピュータに挿入するためにコネクタカバーを開くことに伴って、スライダが着脱部を覆う。従って、使用者は意識的に何らかの操作を要することなく、確実にＩＣカードの着脱を阻止することができる。
【００１８】
また本発明にかかる拡張装置の他の代表的な構成は、コンピュータの外部ポートに接続される拡張装置であって、ＩＣカードを着脱する着脱部と、コンピュータの外部ポートに挿入して接続するコネクタと、コネクタの挿抜方向と直交するヒンジ軸を中心に回転してコネクタを覆うコネクタカバーと、コネクタの挿抜方向と直交するヒンジ軸を中心に回転して着脱部を覆う蓋体と、蓋体のヒンジ軸近傍に設けられた蓋体規制部と、コネクタの挿抜方向に移動可能なスライダと、コネクタカバーの開閉をスライダの移動に変換するリンク機構とを備え、コネクタをコンピュータに挿入する際に、コネクタカバーを開くことによりスライダが移動し、スライダが蓋体規制部と当接または噛合することにより、蓋体の開放を規制することを特徴とする。
【００１９】
上記構成によれば、拡張装置をコンピュータに挿入するためにコネクタカバーを開くことに伴って、蓋体が必然的に閉じられ、または開かなくなる。従って、使用者は意識的に何らかの操作を要することなく、確実にＩＣカードの着脱を阻止することができる。
【００２０】
コネクタを介してコンピュータに接続される無線通信部と、無線通信部に接続され、電波の送受を行うアンテナ部とを備え、アンテナ部は、蓋体またはコネクタカバーと一体に構成することが好ましい。アンテナ部は、カバーの内側に取り付けられていてもよいし、カバーに埋設されていてもよい。
【００２１】
上記構成によれば、カバーの面積に応じて大きなアンテナを設けることができるため、受信感度を向上させることができる。特にコネクタカバーと一体に構成することにより、携帯時にはアンテナ部が一体となったカバーがコネクタを物理的に保護し、かつコンピュータに接続して使用する際にはカバーを開くことによりアンテナ部の角度を調節することができ、最適な受信感度を得ることができる。またアンテナ部が装置外部に突出していないことから、カバーを閉じればコンパクトな形態となり、小型化および携帯性を向上させることができる。
【発明の効果】
【００２２】
本発明によれば、コンピュータに装着した状態においてＩＣカードの着脱を確実に阻止することができる。あわせて通信装置の受信感度と携帯性を向上し、小型化を図ることができる。
【発明を実施するための最良の形態】
【００２３】
［第１実施形態］
本発明にかかる拡張装置の第１実施形態について、図を用いて説明する。本実施形態において拡張装置はＰＨＳ端末（Personal Handy-phone System）であって、無線通信装置である。また本装置にはＩＣカードの例としてのＰＩＭカード（Personal Identity Module Card）が装着可能となっている。ＰＩＭカードはＰＨＳに用いられる個人認証カードであって、電話番号と関連づけられる固有のＩＤが格納されているほか、電話番号などを記憶する記憶領域が設けられている。
【００２４】
図１は本実施形態にかかる拡張装置の構成を説明する外観斜視図、図２はコンピュータに装着した状態の拡張装置を説明する図、図３は拡張装置の側面部分断面図、図４は拡張装置の概略構成を説明するブロック図である。なお、以下の実施形態に示す寸法、材料、その他具体的な数値などは、発明の理解を容易とするための例示に過ぎず、特に断る場合を除き、本発明を限定するものではない。
【００２５】
図１および図４に示すように、拡張装置の例としての無線通信装置１０は、コンピュータ１の外部ポートの例としてのＵＳＢポート２に挿入して接続するコネクタ１１を備えている。なおコンピュータ１との接続は、外部ポートに挿入することにより接続される方式であればよく、例えばＵＳＢ（Universal Serial Bus）、ＩＥＥＥ１３９４などの接続方式が挙げられる。
【００２６】
コネクタ１１には無線通信部２０が接続され、この無線通信部２０にはアンテナ部２１が接続される。無線通信部２０は、ＰＨＳ（Personal Handy-phone System）コントローラ、ＰＤＣ（Personal Digital Cellular）コントローラ、ＷＬＡＮ（Wireless Local Area Network）コントローラなどを用いることができるが、本実施形態においてはＰＨＳコントローラを例示する。
【００２７】
また無線通信装置１０は、無線通信部２０とは別に、ＰＩＭカード３を読み書きするためのメモリコントローラ３０と、ＰＩＭカード３を着脱する着脱部３１を備えている。着脱部３１は開口しているため、無線通信装置１０本体の筐体に蓋体１２を設け、これを保護するよう構成している。無線通信装置１０の携帯時には、蓋体１２を閉状態とすることにより、着脱部３１に塵埃が進入することを防止することができる。蓋体１２はコネクタ１１の挿抜方向と直交するヒンジ軸を備えたヒンジ部１２ａによって開閉可能となっている。開閉式は分離式に比べて取り回しが良く、カバーを紛失するおそれもないことから、使用者にとって取り扱いが簡便である。
【００２８】
コネクタ１１には、コネクタの挿抜方向に移動可能なスライダ１３が併設されている。スライダ１３は、コネクタ１１を覆うように配置されるカバー部１３ａと、着脱部３１に向かって突出するカード規制部１３ｂとから構成される。スライダは、付勢手段の例としてのトーションバネ１４によって、コネクタ１１の先端方向に突出するように付勢されている。なお付勢手段としてはトーションバネ以外にも、つるまきバネや樹脂などの弾性部材を用いることができる。
【００２９】
従って図２に示すように、スライダ１３はコネクタ１１をコンピュータ１に挿入する際にコンピュータ１の外部ポート２近傍の筐体に当接し、挿入する力によってトーションバネ１４の付勢力に抗して無線通信装置１０の内部方向（図の矢印方向）に向かって移動する。ここで着脱部３１のＰＩＭカード３の着脱方向はコネクタ１１のコンピュータ１への挿抜方向とほぼ直交している。従ってスライダ１３のカード規制部１３ｂが着脱部３１の少なくとも一部を覆うことにより、カード規制部１３ｂはＰＩＭカード３の移動範囲に突出する。従ってＰＩＭカード３は着脱方向に移動できなくなるため、その着脱を阻止することができる。すなわち、使用者は無線通信装置１０をコンピュータに接続するのみで、意識的に何らかの操作を要することなく、確実にＰＩＭカード３の着脱を阻止することができる。
【００３０】
スライダ１３のカバー部１３ａは、コネクタ１１の一部又は全部を覆う形状に構成している。本実施形態では、コネクタ１１の３面を覆う断面コの字状の形状としている。これにより、スライダ１３によってコネクタ１１の保護を図ることができる。ただしこのとき、コネクタ１１の位置がわかりにくくなり、コンピュータ１の外部ポート２に挿入しにくくなるおそれがある。このためスライダ１３は、コネクタ１１の形状が視認できるよう透明または半透明の材質で形成されていることが好ましい。これにより、スライダ１３がコネクタ１１を覆っていても、使用者が迷わずコネクタ１１をコンピュータ１の外部ポート２に挿入することができる。
【００３１】
また図１に示すように、アンテナ部２１は蓋体１２の内側に取り付けられており、一体的に構成されている。アンテナ部２１はヒンジ部１２ａの内部を通じて無線通信部２０へと接続されている。なお図においてアンテナ部２１はループアンテナを図示しているが、ロッドアンテナやヘリカルアンテナなど、既知の様々な方式のアンテナを選択することができる。またアンテナ部２１は図において蓋体１２の内側に取り付けられているが、蓋体１２に埋設されていてもよい。なお、ヒンジ部１２ａは蓋体１２を任意の開閉角度で停止しうる構成となっている。
【００３２】
上記構成によれば、携帯時にはアンテナ部２１が一体となった蓋体１２が着脱部３１を保護する。またコンピュータ１に接続して使用する際には、蓋体１２を開くことにより容易にアンテナ部２１の角度を調節することができ、最適な受信感度を得ることができる。また蓋体１２の面積に応じて大きなアンテナ部２１とすることができる点においても、受信感度の向上を図ることができる。また蓋体１２を開けば、ＰＩＭカード３の装着の有無を容易に視認することができ、また容易に着脱することができる。
【００３３】
またアンテナ部２１が装置外部に突出していないことから、蓋体１２を閉じればコンパクトな形態となる。従って、ロッドアンテナのように可動式の外部アンテナを設けた場合と比べて、携帯性を向上し、小型化を図ることができる。
【００３４】
さらに蓋体１２の内面には、スライダ１３のカード規制部１３ｂに当接する突起部１２ｂが設けられている。そして図３に示すように、スライダ１３が無線通信装置１０の内部方向に向かって移動するとき、カード規制部１３ｂが突起部１２ｂに当接する。突起部１２ｂには傾斜面が形成されており、カード規制部１３ｂが当接することによって蓋体１２が開く方向の力が作用する。すなわち、無線通信装置１０をコンピュータ１に接続するのみで自動的に蓋体１２が少し開くこととなる。これにより使用者に蓋体１２が可動であることを気づかせることができ、角度調整を促して、良好な電波状態で通信を行うことができる。
【００３５】
［第２実施形態］
本発明にかかる拡張装置の第２実施形態について説明する。図５は第２実施形態にかかる拡張装置の構成を説明する図、図６は第２実施形態にかかる拡張装置の他の構成を説明する図であって、上記第１実施形態と説明の重複する部分については同一の符号を付して説明を省略する。
【００３６】
上記第１実施形態においては、スライダ１３がＰＩＭカード３の着脱部３１を覆うことにより、ＰＩＭカード３の着脱を阻止する構成を説明した。これに対し本実施形態は、蓋体１２の開放を規制することによってＰＩＭカード３の着脱を阻止する構成である。
【００３７】
図５に示すように、本実施形態において蓋体１２のヒンジ部１２ａ近傍には、蓋体規制部の例としてのカム部１２ｃが形成されている。一方、スライダ１３はその端部がカム部１２ｃに至る位置まで延長され、規制当接部１３ｃが形成されている。スライダ１３が無線通信装置１０の内部方向に向かって移動することにより、規制当接部１３ｃがカム部１２ｃに当接する。カム部１２ｃと規制当接部１３ｃとは、蓋体１２が閉じた状態で擦り合う平面によって当接する。これにより、スライダ１３は蓋体１２の閉じた状態を維持することができ、その開放を規制することができる。またスライダ１３が移動することにより、蓋体１２が所定範囲内の角度で開いていた場合には、これを閉じることができる。
【００３８】
すなわち上記構成によれば、無線通信装置１０をコンピュータ１に装着するに伴って、蓋体１２が必然的に閉じられ、または開かなくなる。従って、使用者は意識的に何らかの操作を要することなく、確実にＰＩＭカード３の着脱を阻止することができる。
【００３９】
また図６に示すように、蓋体１２のヒンジ部１２ａ近傍に溝１２ｄを設け、スライダ１３の端部を延長して溝１２ｄに噛合する楔部１３ｄを設けることでもよい。図５の構成にあっては無線通信装置１０をコンピュータ１に接続した状態で強制的に蓋体１２を開くとコネクタ１１が抜けてしまうおそれがあったが、図６の構成では破壊を伴わない限り、コネクタ１１を抜かずに蓋体１２を回動させることができない。なお、蓋体１２を開いた状態ではスライダ１３がヒンジ部１２ａに当接して内部方向に移動することができないため、無線通信装置１０をコンピュータに接続することができない。従って、より確実に蓋体１２の開放を規制し、ＰＩＭカード３の着脱を防止することができる。
【００４０】
［第３実施形態］
本発明にかかる拡張装置の第３実施形態について説明する。図７は第３実施形態にかかる拡張装置の構成を説明する図、図８は第３実施形態にかかる拡張装置の他の構成を説明する図であって、上記第１実施形態と説明の重複する部分については同一の符号を付して説明を省略する。
【００４１】
上記第１および第２実施形態では、コネクタ１１をコンピュータ１の外部ポート２に挿入する力を利用してスライダ１３を移動させる構成について説明した。これに対し本実施形態は、コネクタ１１を保護するコネクタカバー１５の回動によってスライダを移動させる構成である。
【００４２】
図７に示すように、本実施形態においてはコネクタ１１の挿抜方向と直交するヒンジ軸を中心に回転してコネクタ１１を覆うコネクタカバー１５が備えられている。コネクタカバー１５はコネクタ１１の一部又は全部を覆う形状に構成している。本実施形態では、コネクタ１１の３面を覆う断面コの字状の形状としている。コネクタカバー１５には長穴１５ａが設けられており、スライダ１３には長穴１５ａと嵌合して摺動するピン１３ｅが設けられている。
【００４３】
無線通信装置１０をコンピュータ１の外部ポート２に装着する際には、コネクタカバー１５を回動させてコネクタ１１を露出させる。このとき長穴１５ａとピン１３ｅとからなるリンク機構によって、コネクタカバー１５の開閉運動はスライダ１３の移動に変換される。これによりスライダ１３のカード規制部１３ｂはＰＩＭカード３の着脱部３１を覆うこととなり、ＰＩＭカード３の着脱を阻止することができる。なお、本実施形態の構成においてスライダ１３をコネクタ１１の先端方向に突出するよう付勢するトーションバネ１４は不要である。
【００４４】
上記のように、拡張装置をコンピュータ１に挿入するためにコネクタカバー１５を開くことに伴って、スライダ１３が着脱部３１を覆う。従って、使用者は意識的に何らかの操作を要することなく、確実にＰＩＭカード３の着脱を阻止することができる。
【００４５】
また図８に示すように、蓋体１２のヒンジ部１２ａ近傍にカム部１２ｃを設け、スライダ１３に規制当接部１３ｃを設けることにより、蓋体１２の開放を規制するよう構成してもよい。
【００４６】
なお図８の構成にあっては、無線通信装置１０をコンピュータ１に接続している間は、蓋体１２の角度を調節することができない。このため、アンテナ部２１を蓋体１２ではなくコネクタカバー１５に一体に設けることが好ましい（不図示）。これにより容易にアンテナ部２１の角度を調節して、受信感度の向上を図ることができる。
【００４７】
また上記各実施形態においては、スライダ１３のカード規制部１３ｂは着脱部３１を覆う構成として説明した。しかしカードの着脱を規制するためにはその進行方向を阻めばよく、すなわちカード規制部１３ｂがＩＣカードの移動範囲に突出するよう構成すればよい。図９は本発明にかかる他の実施形態の例を示す図であって、スライダの他の構成を説明する図である。図９においてスライダ１３のカード規制部１３ｆは、着脱部３１に対してＰＩＭカード３の着脱方向に突出し、ＰＩＭカード３の移動を阻止する。これにより、ＰＩＭカード３の着脱を阻止しながらも、その装着の有無を容易に確認したり、ラベル表記の視認性を向上させたりすることができる。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４９】
本発明は、コンピュータの外部ポートに接続される拡張装置として利用することができる。
【図面の簡単な説明】
【００５０】
【図１】本発明の第１実施形態にかかる拡張装置の構成を説明する外観斜視図である。
【図２】同実施形態にかかるコンピュータに装着した状態の拡張装置を説明する図である。
【図３】同実施形態にかかる拡張装置の側面部分断面図である。
【図４】同実施形態にかかる拡張装置の概略構成を説明するブロック図である。
【図５】本発明の第２実施形態にかかる拡張装置の構成を説明する図である。
【図６】同実施形態にかかる拡張装置の他の構成を説明する図である。
【図７】本発明の第３実施形態にかかる拡張装置の構成を説明する図である。
【図８】同実施形態にかかる拡張装置の他の構成を説明する図である。
【図９】本発明にかかる他の実施形態の例を示す図である。
【符号の説明】
【００５１】
１     …コンピュータ
２     …外部ポート
３     …ＰＩＭカード
１０   …無線通信装置
１１   …コネクタ
１２   …蓋体
１２ａ  …ヒンジ部
１２ｂ  …突起部
１２ｃ  …カム部（蓋体規制部）
１２ｄ  …溝
１３   …スライダ
１３ａ  …カバー部
１３ｂ、１３ｆ  …カード規制部
１３ｃ  …規制当接部
１３ｄ  …楔部
１３ｅ  …ピン
１４   …トーションバネ（付勢手段）
１５   …コネクタカバー
１５ａ  …長穴
２０   …無線通信部
２１   …アンテナ部
３０   …メモリコントローラ
３１   …着脱部
【図１】
2008108148.tif 000003
【図２】
2008108148.tif 000004
【図３】
2008108148.tif 000005
【図４】
2008108148.tif 000006
【図５】
2008108148.tif 000007
【図６】
2008108148.tif 000008
【図７】
2008108148.tif 000009
【図８】
2008108148.tif 000010
【図９】
2008108148.tif 000011